(57)【要約】【課題】一般人でも容易に行うことのできる手技を施術することにより、頬下部のたるみを改善し、口角を引き上げやすくする。さらに美容方法の施術効果を客観的に提示する。【解決手段】美容方法が、(a)顎から耳下腺へ円を描きながら動かす手技を行い、次いで、(b)口角の横から頬下を通り、上向きに指で皮膚を押し上げ、引き続き皮膚を頬骨の下に強く押し込むように押圧し、こめかみ方向へ動かす手技を行ない、頬脂肪体を移動ないし変形させる。この美容方法の効果の提示方法では、美容方法の施術前後で顔画像を撮り、所定部位の距離の変化量を求める。【選択図】図１
2008029573.tif 000002
【特許請求の範囲】
【請求項１】
(a)顎から耳下腺へ円を描きながら動かす手技を行い、次いで
(b)口角の横から頬下を通り、上向きに指で皮膚を押し上げ、引き続き皮膚を頬骨の下に押し込むように押圧し、こめかみ方向へ動かす手技を含み、
頬脂肪体を移動ないし変形させる美容方法。
【請求項２】
(b)の手技を行った後、(c)小鼻の横から頬上を押しながらこめかみ方向へ動かす手技を含む請求項１記載の美容方法。
【請求項３】
(a)の手技を繰り返し３回行い、その前後の咬筋部の硬さを測定し、硬さの差に応じて(a)の手技の回数を定める請求項１又は２記載の美容方法。
【請求項４】
美容方法の施術の前後に、顎載せ台に顎を載せている被施術者の正面顔画像を撮り、施術後の画像において、顎の先端近傍から水平方向へ、顎が顎載せ台に接触している部分よりも外側で、かつ、フェイスラインの水平方向上の最大突出部より内側に存在する位置Ｐから顔のフェイスラインに接線を引いて接点をＱとし、水平線と直線ＰＱとがなす角度をθとし、施術前の画像においても位置Ｐより前記同一の角度θの直線を引き、フェイスラインとの交点をＲとし、ＰＱとＰＲの長さの違いを提示する、頬下のフェイスラインのたるみ改善効果の提示方法。
【請求項５】
美容方法の施術の前後に、顔の筋肉を動かすことにより口角を引き上げている被施術者の正面顔画像を撮り、その顔画像における口幅を計測し、口幅の変化量を提示する、口角の引き上げやすさ改善効果の提示方法。
【発明の詳細な説明】
【技術分野】
【０００１】
本発明は、顔の頬下部のフェイスラインへの美容方法に関する。
【背景技術】
【０００２】
従来、顔の皮膚にはりや艶をもたせるためにマッサージが行われている。マッサージは、やり方によっては、かえってしわやたるみの原因となる。そのため、通常は、美容師等の専門者によってなされており、当該マッサージ部位におけるマッサージ方向やマッサージにかける時間、及びマッサージを行う部位の順序等は専門者に委ねられていたが、近年では一般人が家庭で行える美容マッサージも提案されている（特許文献１）。
【０００３】
【特許文献１】特開平１０−１１３３６９号公報
【発明の開示】
【発明が解決しようとする課題】
【０００４】
しかしながら、頬下部のたるみに有効な美容方法はこれまでに知られていない。頬下部のたるみは、顔のフェイスラインを崩し、加齢を感じさせる。また、頬下部がたるんでいる者は口角があがりにくく、様々な表情をとりにくいという傾向がある。
【０００５】
これに対し、本発明は、一般人でも容易に行うことのできる手技を施術することにより、頬下部のたるみを改善し、口角を引き上げやすくし、様々な表情をとりやすくすること、さらに、このような美容方法の施術効果を客観的に評価できるようにすることを目的とする。
【課題を解決するための手段】
【０００６】
本発明者らは、頬下のたるみは頬下に下がっている頬脂肪体に起因していること、この頬脂肪体は結合組織性被膜に覆われており、特定の施術を行うことにより、こめかみ方向に変形ないし移動させることができ、それによりフェイスラインのたるみへ有効であり、口角が引き上げやすくなり、生き生きとした表情をとりやすくなることを見出した。
【０００７】
即ち、本発明は、
(a)顎から耳下腺へ円を描きながら動かす手技を行い、次いで
(b)口角の横から頬下を通り、上向きに指で皮膚を押し上げ、引き続き皮膚を頬骨の下に強く押し込み、こめかみ方向へ動かす手技を行い、
頬脂肪体を移動ないし変形させる美容方法を提供する。
【０００８】
また、本発明は、この美容方法の効果の有効性を提示する第１の方法として、美容方法の施術の前後に、顎載せ台に顎を載せている被施術者の正面顔画像を撮り、施術後の画像において、顎の先端近傍から水平方向へ、顎が顎載せ台に接触している部分よりも突出させた位置Ｐから顔のフェイスラインに接線を引いて接点をＱとし、水平線と直線ＰＱとがなす角度をθとし、施術前の画像においても位置Ｐより角度θで直線を引き、フェイスラインとの交点をＲとし、ＰＱとＰＲの長さの違いを提示する、頬下のフェイスラインのたるみ改善効果の提示方法を提供し、第２の方法として、美容方法の施術の前後に、顔の筋肉を動かすことにより口角を引き上げている被施術者の正面顔画像を撮り、その顔画像における口幅を計測し、口幅の変化量を提示する、口角の引き上げやすさ改善効果の提示方法を提供する。
【発明の効果】
【０００９】
本発明の美容方法によれば、一般人でも容易に頬下部に下がっている頬脂肪体をこめかみ方向に変形ないし移動させることができる。したがって、この美容方法は、頬下部のフェイスラインのたるみに対する有効な施術となる。また、これにより口角が引き上がりやすくなるので、生き生きとした表情をとりやすくなる。
【００１０】
さらに、本発明の第１の美容効果の提示方法である、頬下のフェイスラインのたるみ改善効果の提示方法によれば、本発明の美容方法による頬下のフェイスラインのたるみに対する美容効果を、また、本発明の第２の美容効果の提示方法である、口角の引き上げやすさ改善効果の提示方法によれば、本発明の美容方法による口角の引き上げやすさに対する美容効果を、それぞれ客観的に簡便な手法で提示できる。
【発明を実施するための最良の形態】
【００１１】
以下、図面を参照しつつ、本発明を詳細に説明する。なお、各図中、同一符号は同一又は同等の構成要素を表している。
【００１２】
本発明の美容方法は、頬下のフェイスラインにたるみをもたらす頬脂肪体を手技でこめかみ方向に変形ないし移動させることを意図して行うものである。ここで、頬脂肪体とは、図２に示したように、頬下部からこめかみにかけて、皮下脂肪より深層に存在し、結合組織性被膜に覆われている脂肪組織であり、加齢により、図中、ドットで塗りつぶしたように頬下部に下がりやすい。
【００１３】
図１は、本発明の美容方法の基本的な態様の説明図である。同図に示すように、この美容方法では、
(a)顎から耳下腺へ円を描きながら動かす手技を行い、次いで
(b)口角の横から頬下を通り、上向きに指で皮膚を押し上げ、引き続き皮膚を頬骨Ｘの下に押し込むように押圧し、こめかみ方向へ動かす手技を行なう。
【００１４】
このうち、(a)の手技は、頬脂肪体の周辺組織の筋肉をほぐし、頬脂肪体を変形ないし移動しやすくするために行う。また、(b)の手技は、頬脂肪体を頬骨Ｘの下の凹みに押し込むことで頬脂肪体を変形ないし移動させるために行う。
【００１５】
(b)の手技は、(a)の手技により、頬脂肪体の周辺組織の筋肉が充分にほぐれている場合に、効果的に頬脂肪体を変形ないし移動させることができる。一方、(a)の手技を行ったときに、頬脂肪体の周辺組織の筋肉がどの程度ほぐれるかは、人によって異なる。そこで、(a)の手技を繰り返し３回行った場合の前と後で、咬筋部の硬さをそれぞれ測定し、測定された硬さの差を求める。この差が大きいほど手技が効果的に作用して咬筋部がほぐれ、頬脂肪体が動きやすくなっていることを意味する。そこで、この差に応じて、以降の美容方法で行う(a)の手技の繰り返し数を定めることが好ましい。
【００１６】
より具体的には、例えば、咬筋を緊張させた状態で触診にて咬筋の位置を確認し、同じ位置の硬度を弛緩状態で、生体組織硬度計（井元製作所製、PEK-1）により測定する。この硬度の測定方法では、硬度差２以上の場合に、(a)及び(b)の手技を行う以降の美容方法において、(a)の繰り返し回数は５とし、硬度差が２未満の場合、(a)の繰り返し回数は１０とすることが好ましい。なお、測定硬度と(a)の繰り返し回数との関係は、硬度の測定方法に応じて、適宜定めることが好ましい。
【００１７】
図１に示したように行う(b)の手技では、上向きに指で皮膚を押し上げてきたのに引き続き、皮膚を頬骨Ｘの下に押し込むように押圧する点が重要である。この押圧は、例えば軽擦法とは異なり、皮下組織まで含めた変形を伴うように強く押圧することが好ましい。また、押圧時間は、３〜５秒程度とすることが好ましい。これにより、頬下に下がっていた頬脂肪体を頬骨Ｘの下に変形ないし移動させることができる。
【００１８】
この(b)の手技は、筋肉を弛緩させつつ頬脂肪体を変形ないし移動させる観点で５−１５回程度繰り返して行うのが望ましい。この繰り返し回数が少ないとこの手技の効果を十分に得られない場合があり、多すぎてもそれに見合う効果を得られない。
【００１９】
(b)の手技を行った後は、(c)として、小鼻の横から頬上を押しながらこめかみ方向へ動かす手技を行うことが好ましい。これにより、(b)の手技により下瞼近傍から頬上に鬱血又は滞留した血液やリンパ液をこめかみ方向に流し、施術後の顔をすっきりさせることができる。
【００２０】
以上の(a)及び(b)の手技、さらには(c)の手技からなる美容方法を行うことにより、頬脂肪体を頬下からこめかみ方向に変形ないし移動させ、それにより、頬下のフェイスラインのたるみを改善することができる。また、この頬脂肪体の頬下からこめかみ方向への変形ないし移動により、口角が容易に引き上がるようになることから、生き生きとした表情がとりやすくなる。
【００２１】
この美容方法には、施術直後から頬下のフェイスラインのたるみが改善されたことを外観上認識できるという顕著な効果があり、この効果は、通常、施術の翌日まで有効である。
【００２２】
継続的に本発明の美容方法を行う場合には、施術回数が少ないほうが負担も軽くなるため、前述のように個々人の状態にあわせて適切な(a)の施術の繰り返し数を決めておく意義が高くなる。
【００２３】
本発明の美容方法の効果を客観的に提示する方法としては、頬下のフェイスラインのたるみ改善効果を顔画像上で計測する方法（第１の方法）、又は、美容方法の施術前後の口角の引き上げやすさの改善効果を顔画像の口幅の計測値から比較提示する方法（第２の方法）を行うことが好ましい。
【００２４】
第１の方法は、頬下のフェイスラインの変形を直接的に計測するものであり、美容方法の施術の前後に、図３Ａに示すように、顎載せ台１に顎２を載せている状態の被施術者の正面顔画像を撮り、施術後の画像において、顎載せ台の上端位置Ｐから顔のフェイスラインに接線Ａを引いて接点をＱとし、水平線と直線ＰＱとがなす角度をθとして、図３Ｂに示す施術前の画像においても同一の位置Ｐより同一の角度θにて直線Ｂを引き、フェイスラインとの交点をＲとし、ＰＱとＰＲの長さの違いから美容方法の効果を客観的に提示する。なお、図３Ａにおいて破線は施術前のフェイスラインである。
【００２５】
ここで、Ｐの位置は、顎下のライン近傍にあって、施術後のフェイスラインに接線Ａを引くことができる基点となり得ればよい。したがって、図示したように、顎載せ台１の幅が、顎が顎載せ台に接触する幅よりも広く、顎載せ台１の上端部１ａが、顎が顎載せ台に接触している部分から若干突出している場合には、その上端部１ａを接線Ａの基点Ｐとすることができる。この他、顎の先端から水平方向に所定幅の位置として決めてもよい。
【００２６】
美容方法を施術することにより、図３Ｂの施術前のフェイスライン（図３Ａの破線のフェイスライン）から図３Ａの施術後のフェイスラインに変化すると、施術前のＰＲ間の距離Ｌ2 は施術後のＰＱ間の距離Ｌ1 へと大きくなる。この距離の変化量は、施術前に頬脂肪体が頬下に下がっていた場合には、撮像範囲35.03×24.45mmを693×993pixelとした場合、通常５ pixel以上となる。
【００２７】
第２の方法は、頬脂肪体が頬下からこめかみ方向へ変形ないし移動することにより、口角の引き上げが容易となり、口幅が長くなることに基づくものである。より具体的には、上述の美容方法の施術の前後に、図４に示すように、被施術者が口を軽く閉じ、施術を受ける側又は受けた側の口角を、顔の筋肉を動かすことにより引き上げた状態の顔画像を撮る。そして、その顔画像における口幅Ｌ3 を計測し、この口幅Ｌ3 の施術前後の変化量に応じて美容方法の効果を提示する。この口幅Ｌ3 の変化量は、施術前に頬脂肪体が頬下に下がっていた場合には、撮像範囲5.29×4.61mmを200×174pixelとした場合、通常５ pixel以上となる。
【００２８】
なお、第１の方法と第２の方法のいずれにおいても、顔画像は、必ずしも全顔の顔画像である必要はなく、フェイスラインの変化あるいは口幅の変化がわかればよい。
【実施例】
【００２９】
以下、実施例に基づいて本発明を具体的に説明する。
【００３０】
実施例１
４０〜６０代の女性５名を被施術者とし、左頬に本発明の美容方法を施術した。この場合、(a)の手技を１５回繰り返した後、(b)の手技を１５回行い、さらに(c)の手技を１５回行った。また、右頬はコントロールとし手技は行わなかった。
【００３１】
施術の前後で、図３Ａに示すように、顎載せ台１に被施術者の顎２を固定した状態で、正面から顔画像を撮り、施術後の画像において、顎載せ台１の上端位置Ｐ（顎の先端から水平方向に３０ｍｍの位置）から顔のフェイスラインに接線Ａを引いて接点をＱとし、ＰＱ間の距離を計測し、また、水平線と直線ＰＱとがなす角度をθとして、図３Ｂに示す施術前の画像においても同一の位置Ｐより同一の角度θにて直線Ｂを引き、フェイスラインとの交点をＲとし、ＰＲ間の距離を計測した。この測定は、本発明の美容方法を施術した左頬と左右対称的に、コントロールの右頬についても行った。結果を図５に示す。
【００３２】
同図から、本発明の美容方法を施術した左頬では、施術前に比して施術後の距離Ｌ1 が長くなっていた。この長さの違いから、本発明の美容方法を施術することにより、頬脂肪体が頬下側からこめかみ方向に変形ないし移動し、フェイスラインのたるみが改善されたことを提示できる。
【００３３】
実施例２
４０〜６０歳代の女性１１名を被施術者とし、実施例１と同様に、左頬に本発明の美容方法を施術し、右頬はコントロールとした。
【００３４】
施術の前後に、図４に示すように、被施術者が口を軽く閉じ、左右の口角それぞれについて、顔の筋肉を動かすことにより引き上げた状態の顔画像を撮り、その顔画像における口幅Ｌ3 を計測し、この口幅Ｌ3 の施術前後の変化量を求めた。この場合、口幅Ｌ3の計測には、図４に破線で示した口近傍の画像（5.29×4.61ｍｍ（200×174pixcel））を用いた。結果を図６に示す。
【００３５】
同図から、本発明の美容方法を施術した左頬では、施術前に比して施術後に口幅Ｌ3 が長くなっていた。この結果から、本発明の美容方法を施術することにより、筋肉が弛緩し、頬脂肪体が頬下側からこめかみ方向に変形ないし移動し、口角が引き上がりやすくなったことがわかる。
【産業上の利用可能性】
【００３６】
本発明は、頬脂肪体を変形ないし移動させる美容上の施術として有用である。
【図面の簡単な説明】
【００３７】
【図１】手技方法の説明である。
【図２】頬脂肪体の説明図である。
【図３Ａ】第１の効果試験方法の説明図である。
【図３Ｂ】第１の効果試験方法の説明図である。
【図４】第２の効果試験方法の説明図である。
【図５】第１の効果試験方法の結果を示す図である。
【図６】第２の効果試験方法の結果を示す図である。
【符号の説明】
【００３８】
１    顎載せ台
２    被施術者の顎
Ｌ1   ＰＱ間の距離
Ｌ2   ＰＲ間の距離
Ｌ3   口幅
【図１】
2008029573.tif 000003
【図２】
2008029573.tif 000004
【図３Ａ】
2008029573.tif 000005
【図３Ｂ】
2008029573.tif 000006
【図４】
2008029573.tif 000007
【図５】
2008029573.tif 000008
【図６】
2008029573.tif 000009